(57)【要約】【課題】  ２つ以上の光スプリッタを有する小型のスプリッタモジュールを提供する。【解決手段】  スプリッタモジュール１は、下部筐体２と、この下部筐体２上に重なり合うように配置された上部筐体３とを備えている。上部筐体３内には、光信号を複数に分岐させる第１光スプリッタが収容されている。上部筐体３には、第１光スプリッタと接続された入力側アダプタソケット４及び出力側アダプタソケット５が取り付けられている。下部筐体２内には、光信号を複数に分岐させる第２光スプリッタが収容されている。下部筐体２には、第２光スプリッタと接続された２つの出力側アダプタソケット１５が取り付けられている。出力側アダプタソケット５の何れか１つの光ソケット部５ａには、第２光スプリッタと接続される接続用光コード１２がコネクタ接続されている。【選択図】  図１
2010122529.tif 000002
【特許請求の範囲】
【請求項１】
互いに重なり合うように設けられた第１筐体及び第２筐体と、
前記第１筐体内に収容され、第１入力側光ファイバ心線から入射した光信号を分岐させて複数の第１出力側光ファイバ心線に出射する第１光スプリッタと、
前記第１筐体に取り付けられ、前記第１入力側光ファイバ心線と接続される入力側光ソケット部及び前記各第１出力側光ファイバ心線と接続される複数の第１出力側光ソケット部と、
前記複数の第１出力用光ソケット部の何れか１つと接続される第２入力側光ファイバ心線と、
前記第２筐体内に収容され、前記第２入力側光ファイバ心線から入射した光信号を分岐させて複数の第２出力側光ファイバ心線に出射する第２光スプリッタと、
前記第２筐体に取り付けられ、前記各第２出力側光ファイバ心線と接続される複数の第２出力側光ソケット部とを備えることを特徴とするスプリッタモジュール。
【請求項２】
前記入力側光ソケット部は、前記第１筐体の一端側に取り付けられ、
前記第１出力側光ソケット部は、前記第１筐体の他端側に取り付けられ、
前記第２出力側光ソケット部は、前記第２筐体の両端側に取り付けられていることを特徴とする請求項１記載のスプリッタモジュール。
【請求項３】
前記第１筐体及び前記第２筐体の何れか一方には、前記第１筐体と前記第２筐体とを重なり合うように連結するための複数の連結用凸部が設けられ、
前記第１筐体及び前記第２筐体の他方には、前記連結用凸部と嵌合する複数の連結用凹部が設けられており、
前記連結用凸部の数は、前記連結用凹部の数と同じか前記連結用凹部の数よりも少なく、
前記各連結用凸部間の配列ピッチと前記各連結用凹部間の配列ピッチとが等しいことを特徴とする請求項１または２記載のスプリッタモジュール。
【請求項４】
前記複数の第１出力側光ソケット部を保持する第１ソケットホルダと、
前記複数の第２出力側光ソケット部を保持する第２ソケットホルダとを更に備え、
前記第１ソケットホルダは、前記第１出力側光ソケット部の配列方向に平行な軸を支点として前記第１筐体に回動可能に取り付けられ、
前記第２ソケットホルダは、前記第２出力側光ソケット部の配列方向に平行な軸を支点として前記第２筐体に回動可能に取り付けられていることを特徴とする請求項１〜３の何れか一項記載のスプリッタモジュール。
【発明の詳細な説明】
【技術分野】
【０００１】
本発明は、光信号を分岐させる光スプリッタを有するスプリッタモジュールに関するものである。
【背景技術】
【０００２】
従来のスプリッタモジュールとしては、例えば特許文献１に記載されているように、光ケーブルを分岐して受ける心線受部と、この心線受部で分岐された複数の光ファイバ心線を各光ソケットに接続するコネクタ収納部とを備えた箱形状のスプリッタモジュールが知られている。
【特許文献１】特開２００７―１２１３９８号公報
【発明の開示】
【発明が解決しようとする課題】
【０００３】
スプリッタモジュールは、例えば集合住宅等に設置された配線盤内に収容され、架空から引き落とされた光ケーブルにより送られてきた光信号を光スプリッタにより分岐させて各家庭に伝送するものである。ここで、家庭数が多くなると、複数の光スプリッタが必要となる。このため、架空から引き落とされた光ケーブルが導入される主配線盤（ＭＤＦ）内には、２つ以上の光スプリッタが収容されることがある。この場合、上記従来技術においては、２つ以上のスプリッタモジュールが主配線盤内に収容されることになる。しかし、主配線盤内には既に他の機器やケーブル等が収容されているため、２つ以上のスプリッタモジュールを収容することができない場合がある。
【０００４】
本発明の目的は、２つ以上の光スプリッタを有する小型のスプリッタモジュールを提供することである。
【課題を解決するための手段】
【０００５】
本発明のスプリッタモジュールは、互いに重なり合うように設けられた第１筐体及び第２筐体と、第１筐体内に収容され、第１入力側光ファイバ心線から入射した光信号を分岐させて複数の第１出力側光ファイバ心線に出射する第１光スプリッタと、第１筐体に取り付けられ、第１入力側光ファイバ心線と接続される入力側光ソケット部及び各第１出力側光ファイバ心線と接続される複数の第１出力側光ソケット部と、複数の第１出力用光ソケット部の何れか１つと接続される第２入力側光ファイバ心線と、第２筐体内に収容され、第２入力側光ファイバ心線から入射した光信号を分岐させて複数の第２出力側光ファイバ心線に出射する第２光スプリッタと、第２筐体に取り付けられ、各第２出力側光ファイバ心線と接続される複数の第２出力側光ソケット部とを備えることを特徴とするものである。
【０００６】
このような本発明のスプリッタモジュールにおいては、第１光スプリッタ、第１入力側光ソケット部及び複数の第１出力側光ソケット部を有する第１筐体と、第２光スプリッタ及び複数の第２出力側光ソケット部を有する第２筐体とが互いに重なり合っており、複数の第１出力側光ソケット部の何れか１つが第２入力側光ファイバ心線を介して第２光スプリッタと接続される。つまり、スプリッタモジュールは、第１筐体及び第２筐体を有する複数段構造となっている。このため、スプリッタモジュールの幅寸法を増大させなくて済む。これにより、２つ以上の光スプリッタを有する小型のスプリッタモジュールを得ることができる。
【０００７】
好ましくは、入力側光ソケット部は、第１筐体の一端側に取り付けられ、第１出力側光ソケット部は、第１筐体の他端側に取り付けられ、第２出力側光ソケット部は、第２筐体の両端側に取り付けられている。
【０００８】
このような構成では、例えばスプリッタモジュールが配線盤に取り付けられた状態において、入力用光ソケット部、第１出力用光ソケット部及び第２出力用光ソケット部に光コードをコネクタ接続するためのスペースを、スプリッタモジュールの幅方向外側に対して大きく取らなくて済む。また、第２光スプリッタの分岐数が多くなっても、スプリッタモジュールの小型化を確保することができる。
【０００９】
また、好ましくは、第１筐体及び第２筐体の何れか一方には、第１筐体と第２筐体とを重なり合うように連結するための複数の連結用凸部が設けられ、第１筐体及び第２筐体の他方には、連結用凸部と嵌合する複数の連結用凹部が設けられており、連結用凸部の数は、連結用凹部の数と同じか連結用凹部の数よりも少なく、各連結用凸部間の配列ピッチと各連結用凹部間の配列ピッチとが等しい。
【００１０】
このような構成では、連結用凹部に連結用凸部を嵌め込むことで、第１筐体及び第２筐体同士を容易に固定することができる。また、連結用凸部の数が連結用凹部の数よりも少ない場合には、各連結用凸部間の配列ピッチと各連結用凹部間の配列ピッチとが等しくなっているので、第１筐体と第２筐体とを互いにずらして連結することができる。この場合には、例えば必要に応じて、下側の光ソケット部を上側の筐体によりカバーする等といったことが可能となる。
【００１１】
さらに、好ましくは、複数の第１出力側光ソケット部を保持する第１ソケットホルダと、複数の第２出力側光ソケット部を保持する第２ソケットホルダとを更に備え、第１ソケットホルダは、第１出力側光ソケット部の配列方向に平行な軸を支点として第１筐体に回動可能に取り付けられ、第２ソケットホルダは、第２出力側光ソケット部の配列方向に平行な軸を支点として第２筐体に回動可能に取り付けられている。
【００１２】
このような構成では、スプリッタモジュールを配線盤に取り付けたときに、第１ソケットホルダを回動させることで第１出力側光ソケット部を手前側（前面側）に向け、第２ソケットホルダを回動させることで第２出力側光ソケット部を手前側に向けることが可能となる。この場合には、光コードの先端部に装着された光コネクタプラグを第１出力側光ソケット部及び第２出力側光ソケット部に対して挿抜しやすくなる。
【発明の効果】
【００１３】
本発明によれば、２つ以上の光スプリッタを有する小型のスプリッタモジュールを得ることができる。これにより、例えば配線盤内に狭い収容スペースしかなくても、スプリッタモジュールを備え付けることが可能となる。
【発明を実施するための最良の形態】
【００１４】
以下、本発明に係るスプリッタモジュールの好適な実施形態について図面を参照して詳細に説明する。
【００１５】
図１及び図２は、本発明に係るスプリッタモジュールの一実施形態の外観を示す斜視図である。各図において、本実施形態のスプリッタモジュール１は、下部筐体２と、この下部筐体２上に重なり合うように配置された上部筐体３とを備えている。
【００１６】
上部筐体３は、一端側が開放された略箱状を有している。上部筐体３における開放部の反対側には、入力側アダプタソケット４が取り付けられている。入力側アダプタソケット４は、光ファイバ心線の端部に装着された光コネクタプラグ（図示せず）と嵌合する光ソケット部４ａを両側に１つずつ有し、光ファイバ心線同士を接続するコネクタ部品である。ここでは、入力側アダプタソケット４としてＳＣ型アダプタソケットが用いられる。
【００１７】
上部筐体３の開放部には、４連の出力側アダプタソケット５を保持するアダプタソケットホルダ６が配置されている。出力側アダプタソケット５は、光ファイバ心線の端部に装着された光コネクタプラグ（図示せず）と嵌合する光ソケット部５ａを両側に４つずつ有している。出力側アダプタソケット５としては、例えばＳＣ型アダプタソケットが用いられる。
【００１８】
アダプタソケットホルダ６は、上部筐体３に対して上下方向に回動可能に取り付けられている。具体的には、アダプタソケットホルダ６は、上部筐体３の幅方向（光ソケット部５ａの配列方向）に平行な軸を支点として回動可能となるように上部筐体３に取り付けられている。これにより、図３に示すように、アダプタソケットホルダ６に保持された出力側アダプタソケット５の各ソケット部５ａのプラグ受け口を上部筐体３の上下面に対して上方に向けることが可能となる。
【００１９】
上部筐体３の内部には、図４に示すように、光信号を複数に分岐（ここでは４分岐）させる光スプリッタ７が収容されている。光スプリッタ７の一端には、入力側光ファイバ心線８が接続され、光スプリッタ７の他端には、複数本（ここでは４本）の出力側光ファイバ心線９が接続されている。これにより、入力側光ファイバ心線８から入射した光信号は、光スプリッタ７により分岐されて各出力側光ファイバ心線９に出射されるようになる。
【００２０】
入力側光ファイバ心線８の先端部には光コネクタプラグ１０が装着され、この光コネクタプラグ１０は、入力側アダプタソケット４の一側（筐体内側）の光ソケット部４ａに嵌合（接続）されている。各出力側光ファイバ心線９の先端部には光コネクタプラグ１１が装着され、これらの光コネクタプラグ１１は、出力側アダプタソケット５の一側（筐体内側）の各光ソケット部５ａに嵌合（接続）されている。
【００２１】
出力側アダプタソケット５の他側（筐体外側）の何れか１つの光ソケット部５ａには、光ファイバ心線を内蔵した接続用光コード１２の先端部に装着された光コネクタプラグ１３が嵌合（接続）されている。接続用光コード１２は、下部筐体２の一方の側壁部に形成されたコード導入孔１４（図１及び図２参照）から下部筐体２内に導入されている。
【００２２】
下部筐体２は、両端側が開放された略箱状を有している。下部筐体２の長手方向の長さ寸法は、上部筐体３の長手方向の長さ寸法よりも大きく、下部筐体２の幅寸法は、上部筐体３の幅寸法と等しくなっている。
【００２３】
上部筐体３の両端側の開放部には、４連の出力側アダプタソケット１５を保持するアダプタソケットホルダ１６がそれぞれ配置されている。出力側アダプタソケット１５は、上記の出力側アダプタソケット５と全く同じものであり、光ソケット部１５ａを両側に４つずつ有している。アダプタソケットホルダ１６は、上記のアダプタソケットホルダ６と全く同じものである。
【００２４】
アダプタソケットホルダ１６は、下部筐体２に対して上下方向に回動可能に取り付けられている。具体的には、アダプタソケットホルダ１６は、下部筐体２の幅方向（光ソケット部１５ａの配列方向）に平行な軸を支点として回動可能となるように下部筐体２に取り付けられている。これにより、図３に示すように、アダプタソケットホルダ１６に保持された出力側アダプタソケット１５の各ソケット部１５ａのプラグ受け口を下部筐体２の上下面に対して上方に向けることが可能となる。
【００２５】
下部筐体２の内部には、図５に示すように、光信号を複数に分岐（ここでは８分岐）させる光スプリッタ１７が収容されている。光スプリッタ１７の一端には、入力側光ファイバ心線１８が接続され、光スプリッタ１７の他端には、複数本（ここでは８本）の出力側光ファイバ心線１９が接続されている。これにより、入力側光ファイバ心線１８から入射した光信号は、光スプリッタ１７により分岐されて各出力側光ファイバ心線１９に出射されるようになる。
【００２６】
入力側光ファイバ心線１８は、光接続部２０を介して接続用光コード１２と接続されている。各出力側光ファイバ心線１９の先端部には光コネクタプラグ２１が装着され、これらの光コネクタプラグ２１は、下部筐体２の両端側に位置する出力側アダプタソケット１５の一側（筐体内側）の各光ソケット部１５ａに嵌合（接続）されている。
【００２７】
下部筐体２の上面には、図６に示すように、下部筐体２と上部筐体３とを重なり合うように連結するための複数（ここでは２つ）の円形状の連結用凸部２２が、下部筐体２の長手方向に沿って並ぶように設けられている。
【００２８】
上部筐体３の下面には、図７に示すように、連結用凸部２２と嵌合する複数（ここでは４つ）の円形状の連結用凹部２３が上部筐体３の長手方向に沿って並ぶように形成されている。なお、連結用凸部２２及び連結用凹部２３の数は特に限定されるものではなく、連結用凸部２２の数が連結用凹部２３の数と同じか連結用凹部２３の数よりも少なければ良い。
【００２９】
各連結用凹部２３間の配列ピッチは、各連結用凸部２２間の配列ピッチと等しくなっている。これにより、連結用凸部２２の数が連結用凹部２３の数よりも少ない場合は、上部筐体３を下部筐体２に対して長手方向にずらして連結することが可能となる。このとき、下部筐体２の各連結用凸部２２を、上部筐体３に形成された複数の連結用凹部２３のうち内側に位置する連結用凹部２３に嵌合させたときは、図１及び図２に示すように、下部筐体２の両端側に取り付けられた２つのアダプタソケットホルダ１６が上部筐体３に覆われずに露出した状態となる。この場合には、図３に示すように、出力側アダプタソケットホルダ１５を下部筐体２に対して回動させることで、出力側アダプタソケット１５のプラグ受け口を下部筐体２に対して上方に向けることができる。
【００３０】
以上のように本実施形態のスプリッタモジュール１においては、光スプリッタ７が収容された上部筐体３と光スプリッタ１７が収容された下部筐体２とからなる上下２段構造となっているので、スプリッタモジュール１の幅寸法が小さくなる。これにより、２つの光スプリッタ７，１７を有する小型のスプリッタモジュール１を得ることができる。従って、例えば集合住宅等の建物内の壁に設置された主配線盤（ＭＤＦ）にスプリッタモジュール１を備え付ける際に、主配線盤内に既に他の機器やケーブル等が数多く収容されている場合でも、２つの光スプリッタ７，１７を有するスプリッタモジュール１を収容して取り付けることが可能となる。
【００３１】
また、上部筐体３は、下部筐体２に対して長手方向にずらして連結することが可能である。このため、下部筐体２の出力側アダプタソケット１５を露出させることができる（図１及び図２参照）し、場合によっては出力側アダプタソケット１５を上部筐体３で覆って保護することもできる。
【００３２】
さらに、出力側アダプタソケット５，１５のプラグ受け口を上部筐体３及び下部筐体２に対して上方に向けることができるので、スプリッタモジュール１を主配線盤に取り付けたときに、出力側アダプタソケット５，１５のプラグ受け口を手前側（正面側）に向けることができる。これにより、出力側光コードの先端部に装着された光コネクタプラグを出力側アダプタソケット５，１５に対して挿入・抜去しやすくなる。その結果、スプリッタモジュール１の備え付けの作業性を向上させることができる。
【００３３】
なお、本発明は、上記実施形態に限定されるものではない。例えば上記実施形態では、下部筐体２の上面に複数の連結用凸部２２が筐体長手方向に沿って設けられ、上部筐体３の下面に複数の連結用凹部２３が筐体長手方向に沿って形成されているが、連結用凸部２２及び連結用凹部２３の何れか一方を筐体幅方向にも沿うように設けても良い。この場合には、主配線盤内に収容スペースが確保されていれば、上部筐体３を下部筐体２に対してクロス状に重ねた状態で、スプリッタモジュールを主配線盤内に収容することができる。従って、例えば入力側光コードが出力側光コードに対して垂直な方向から主配線盤内に導入される場合に、入力側光コード及び出力側光コードの取り回しが行いやすくなる。
【００３４】
また、上記実施形態では、下部筐体２の上面に複数の連結用凸部２２が設けられ、上部筐体３の下面に複数の連結用凹部２３が形成されているが、上部筐体３の下面に複数の連結用凸部２２を設け、下部筐体２の上面に複数の連結用凹部２３を形成しても良い。
【００３５】
また、上記実施形態では、入力側アダプタソケット４と接続される光スプリッタ７を上部筐体３内に収容する構成としたが、入力側アダプタソケット４と接続される光スプリッタ７を下部筐体２内に収容し、もう１つの光スプリッタ１７を上部筐体３内に収容しても良い。
【００３６】
さらに、上記実施形態のスプリッタモジュールは、上部筐体３及び下部筐体２からなる上下２段構造を有するものであるが、筐体を３段以上の構造とし、各筐体内に光スプリッタを収容しても良い。
【図面の簡単な説明】
【００３７】
【図１】本発明に係るスプリッタモジュールの一実施形態の外観を示す斜視図である。
【図２】図１に示したスプリッタモジュールを反対側から見たときの外観を示す斜視図である。
【図３】図２に示したアダプタソケットホルダを筐体に対して上方に回動させた状態を示す斜視図である。
【図４】図１及び図２に示した上部筐体の内部の配線状態を示す断面図である。
【図５】図１及び図２に示した下部筐体の内部の配線状態を示す断面図である。
【図６】図１及び図２に示したスプリッタモジュールを上方から見たときの分解斜視図である。
【図７】図１及び図２に示したスプリッタモジュールを下方から見たときの分解斜視図である。
【符号の説明】
【００３８】
１…スプリッタモジュール、２…下部筐体（第２筐体）、３…上部筐体（第１筐体）、４…入力側アダプタソケット、４ａ…光ソケット部（入力側光ソケット）、５…出力側アダプタソケット、５ａ…光ソケット部（第１出力側光ソケット）、６…アダプタソケットホルダ（第１ソケットホルダ）、７…光スプリッタ（第１光スプリッタ）、８…入力側光ファイバ心線（第１入力側光ファイバ心線）、９…出力側光ファイバ心線（第１出力側光ファイバ心線）、１５…出力側アダプタソケット、１５ａ…光ソケット部（第２出力側光ソケット）、１６…アダプタソケットホルダ（第２ソケットホルダ）、１７…光スプリッタ（第２光スプリッタ）、１８…入力側光ファイバ心線（第２入力側光ファイバ心線）、１９…出力側光ファイバ心線（第２出力側光ファイバ心線）、２２…連結用凸部、２３…連結用凹部。
【図１】
2010122529.tif 000003
【図２】
2010122529.tif 000004
【図３】
2010122529.tif 000005
【図４】
2010122529.tif 000006
【図５】
2010122529.tif 000007
【図６】
2010122529.tif 000008
【図７】
2010122529.tif 000009